(57)【特許請求の範囲】
【請求項１】
水栓本体と、外周面にねじ部を有し、前記水栓本体の下部に固着される水栓取付足とからなる水栓を台所の流し台等の水栓取付板部に取付ける水栓取付け機構において、水栓取付板部に開設した貫通孔に水栓取付足を水栓取付板部上方から挿通した後水栓取付足を貫通孔において固定した状態で水栓本体を水栓取付板部上に取付けるための取付部材を有し、この取付部材が、貫通孔に嵌込まれる弾性材料よりなる固定リングと、水栓取付足の前記外周面に螺着されるプルナットと、このプルナットの上環状面に所定間隔を有して形成された複数の凸条片に嵌合する切欠部を備え、水栓取付足が挿入された状態では回動操作に連動してプルナットを回動させるリング状の回動部材と、水栓取付足が挿入され、かつ、前記回動部材およびプルナットに外嵌する状態で前記回動部材およびプルナット間に設けられる弾性材料よりなるロックリングとよりなり、更に、固定リングは、嵌込み時に外形が狭められるよう縦方向の切り込み部と、貫通孔の内周面に食い込む爪とを有する一方、ロックリングは縦方向の切り込み部を有し、しかも、プルナットの前記各凸条片には、水栓取付足に対して、プルナット、回動部材およびロックリングを仮止めしたときにはロックリングの下部フランジに当接し、その後、回動部材の締付操作によって仮止め状態から締付状態に移行したときに、ロックリングの上端が固定リングの前記爪によって締付方向への移動を阻止され、かつ、ロックリングが径方向に延ばされた状態で、ロックリングの前記下部フランジをプルナットの上環状面へ滑り落とすテーパ面が形成され、固定リングをロックリングが下方側および側方側から押圧する形で水栓本体を水栓取付板部上に取付けてあることを特徴とする水栓取付け機構。
【発明の詳細な説明】
【０００１】
【発明の属する技術分野】
この発明は水栓取付け機構に関するものである。
【０００２】
【従来の技術および発明が解決しようとする課題】
例えば混合湯水の吐水管を備えた湯水混合栓本体を台所の流し台の水栓取付板部（以下、単に面板という）上に取付けるにあたり、従来では、作業者が面板下部に潜り込んで取付部材を混合栓取付足に嵌込んだり、締付けたりするというふうに下からの作業を行っていたから、作業時間と手間がかかり作業性が悪い上に、締付け時においては混合栓本体の共まわりを防止するために混合栓本体を押さえる別の作業者が必要であった。
【０００３】
この発明は、作業者が一人で容易に混合栓本体を面板上に取付けることができる水栓取付け機構を提供することを目的とする。
【０００４】
【課題を解決するための手段】
上記目的を達成するために、この発明は、水栓本体と、外周面にねじ部を有し、前記水栓本体の下部に固着される水栓取付足とからなる水栓を台所の流し台等の水栓取付板部に取付ける水栓取付け機構において、水栓取付板部に開設した貫通孔に水栓取付足を水栓取付板部上方から挿通した後水栓取付足を貫通孔において固定した状態で水栓本体を水栓取付板部上に取付けるための取付部材を有し、この取付部材が、貫通孔に嵌込まれる弾性材料よりなる固定リングと、水栓取付足の前記外周面に螺着されるプルナットと、このプルナットの上環状面に所定間隔を有して形成された複数の凸条片に嵌合する切欠部を備え、水栓取付足が挿入された状態では回動操作に連動してプルナットを回動させるリング状の回動部材と、水栓取付足が挿入され、かつ、前記回動部材およびプルナットに外嵌する状態で前記回動部材およびプルナット間に設けられる弾性材料よりなるロックリングとよりなり、更に、固定リングは、嵌込み時に外形が狭められるよう縦方向の切り込み部と、貫通孔の内周面に食い込む爪とを有する一方、ロックリングは縦方向の切り込み部を有し、しかも、プルナットの前記各凸条片には、水栓取付足に対して、プルナット、回動部材およびロックリングを仮止めしたときにはロックリングの下部フランジに当接し、その後、回動部材の締付操作によって仮止め状態から締付状態に移行したときに、ロックリングの上端が固定リングの前記爪によって締付方向への移動を阻止され、かつ、ロックリングが径方向に延ばされた状態で、ロックリングの前記下部フランジをプルナットの上環状面へ滑り落とすテーパ面が形成され、固定リングをロックリングが下方側および側方側から押圧する形で水栓本体を水栓取付板部上に取付けてあることを特徴とする。
【０００５】
【発明の実施の形態】
以下にこの発明の実施の形態について説明する。なお、この発明はそれによって限定されるものではない。
【０００６】
図１〜図４において、１は、混合湯水の吐水管２を備えた湯水混合栓本体で、湯水の混合比と止水を含む吐水量の調節を行うレバー３が設けられている。４は水栓取付足で、混合栓本体１の下部に固着されており、例えば台所の流し台の水栓取付板部（以下、単に面板という）５に開設した貫通孔６に挿通・固定される。水栓取付足４の外周面にはねじ部１３が形成されている。７，７は湯用および水用の供給管で、それぞれ混合栓本体１の底面部分に接続されている。なお、前記面板５は、例えば木製で、少なくとも上面は薄いステンレス板で覆ってある。また、混合栓本体１，水栓取付足４は例えば真鍮等の鋳造製である。
【０００７】
８は、貫通孔６に嵌込まれる固定リングで、弾性材料よりなる。この固定リング８は、嵌込み時に外形が狭められるよう縦方向の切り込み部９を有する。また、固定リング８の周面Ａには、嵌込んだ状態で貫通孔６の内周面Ｂに食い込む爪１０が形成されている。この爪１０は、固定リング８が貫通孔６から外れ落ちないようにするためのものである。１１は、固定リング８の下部フランジである。
【０００８】
１２は、水栓取付足４の前記ねじ部１３に螺着するプルナットで、その上環状面Ｃには、所定間隔を有して複数の凸条片１４，１４が形成されている。１７は凸条片１４，１４間の凹み部である。３３は、内周面に形成されたねじ部である。
【０００９】
１５は、前記凸条片１４に嵌合する複数の切欠部１６を備えたリング状の回動部材で、水栓取付足４が挿入された状態では回動操作に連動してプルナット１２を回動させる。この回動部材１５は、肉厚の上部フランジ１８と、切欠部１６によって形成された嵌合片１９と、凸条片１４の凹み部１７と嵌合する嵌合片１９と上部フランジ１８とを接続する接続筒部２０とで構成される。
【００１０】
２１は弾性材料よりなるロックリングで、水栓取付足４が挿入され、かつ、前記回動部材１５およびプルナット１２に外嵌する状態で前記両者１５，１２間に設けられる。２２は縦方向の切り込み部である。２４は、ロックリング２１の下部フランジである。
【００１１】
そして、固定リング８、プルナット１２、回動部材１５およびロックリング２１から、混合栓本体１を面板５上に取付けるための取付部材が構成されている。
【００１２】
更に、プルナット１２の前記各凸条片１４の外面Ｄには、周方向に沿ってテーパ面２３が形成されている。このテーパ面２３は、図４（Ａ）に示すように、水栓取付足４に対して、プルナット１２、回動部材１５およびロックリング２１を仮止めしたときにはロックリング２１の下部フランジ２４に当接し、その後、回動部材１５の締付操作によって仮止め状態から締付状態に移行したときに、図４（Ｂ）に示すように、ロックリング２１の上端２５が固定リング８の爪１０によって締付方向への移動を阻止され、かつ、ロックリング２１が径方向に延ばされた状態で、ロックリング２１の下部フランジ２４をプルナット１２の上環状面Ｃへ滑り落とすためのものである。
【００１３】
而して、図３（Ａ）に示すように、固定リング８を狭めた状態で固定リング８を面板５の貫通孔６に挿通・固定させる。この挿通・固定作業は、混合栓本体１を面板５上に取付けた際に、取付部材による面板５への締付けの強度を確保するために行われる。
【００１４】
続いて、図３（Ｂ）に示すように、水栓取付足４に対して、プルナット１２、回動部材１５およびロックリング２１を仮止めした状態で、面板５上方から供給管７，７、仮止め状態の部材１２，１５，２１および水栓取付足４を挿通する。この挿通時の状態は、図４（Ａ）に示されている。
【００１５】
そして、回動部材１５の締付操作によって仮止め状態から締付状態に移行する。この場合、回動部材１５を締付方向Ｆに回動させる〔図３（Ｃ）参照〕と、上述したように、図４（Ａ）に示す状態から、図４（Ｂ）に示す状態になって、混合栓本体１を面板５上に強固に取付けられる。
【００１６】
このように、混合栓本体１の面板５上への取付けを、取付部材を仮止めした状態で面板５上方から行える。また、前記部材１２，１５，２１を水栓取付足４に挿通するだけで簡単に仮止めできるとともに、回動部材１５を締付けるだけの簡単な作業で混合栓本体１を面板５上に強固に取付けることができる。
【００１７】
【発明の効果】
以上説明したように、この発明によれば、作業者は一人で水栓の取付けを行える。また、取付け作業時間の大幅な短縮が図れる。更に、面板上からの作業なので、水栓を確実に取付けできるとともに、作業者を特定しなくても容易に取付けできる。
【図面の簡単な説明】
【図１】この発明の一実施形態における取付部材の仮止め状態を示す斜視図である。
【図２】上記実施形態を示す分解斜視図である。
【図３】（Ａ），（Ｂ），（Ｃ）は、上記実施形態における水栓の取付手順を示す図である。
【図４】（Ａ）および（Ｂ）は、上記実施形態における取付部材の仮止め状態および締付け状態を示す図である。
【符号の説明】
１…水栓本体、４…水栓取付足、１３，３３…ねじ部、５…面板、６…貫通孔、８…固定リング、９，２２…切り込み部、１０…爪、１２…プルナット、１５…回動部材、２１…ロックリング、１４…凸条片、１６…切欠部、２３…テーパ面、２４…ロックリングの下部フランジ、２５…ロックリングの上端、Ｃ…プルナットの上環状面。
【図１】
0003884547.tif 000002
【図２】
0003884547.tif 000003
【図３】
0003884547.tif 000004
【図４】
0003884547.tif 000005